Podtech/llm-jp-corpus-v4-ja_patent huggingface dataset:
(57)【要約】      （修正有）【課題】本体左右の先端に異種材質回転球体を装着し一体化したエステ美容器を提供する。【解決手段】本体の材質はすべてプラスチック材料を使用し左先端は血行を促進する磁力作用のある球体磁石回転専用部とし右先端は皮膚表面のほてり熱を下げ皮膚を引き攻める効果のある天然石の水晶玉回転専用部にし中間接続部で左右球部を一体化にして小型で又球の回転が安定するように中間接続部の中心に孔を空け球の回転点にして回転をスムーズにする構造で解決した。【選択図】図１
0003145941.tif 000002
【実用新案登録請求の範囲】
【請求項１】
棒状本体先端の左先端に球体回転磁石部を右先端に球体回転水晶部を設け左右一体化したエステマッサージ美容器
【考案の詳細な説明】
【技術分野】
【０００１】  本考案は本体左右の先端に異種材質回転球体を装着し一体化したエステ美容器に関する。
【背景技術】
【０００２】  従来のエステマッサージ美容器には球体磁石を利用したものはあるが球体磁石と水晶球体のように異種材質球を一体化しエステ用途に別けて使用するエステ美容器はなかった。
【考案の開示】
【考案が解決しようとする課題】
【０００３】  本体の先端に二種類の材質の球体回転部を小型にいかに組み合わせするかが課題である。
【課題を解決するための手段】
【０００４】  本体の材料はすべて樹脂材質の材料を使用し左先端は磁力作用のある球体磁石専用部と右先端の水晶球体専用部とを中間固定部で固定連結し球の回転により、磁石球体部と水晶球体部をもうけ各々専用部として分けた構造にして解決した。
【考案の効果】
【０００５】  本考案は回転する球体磁石部と球体水晶部を左右に分ける事によって球磁石の回転マッサージで血流の流れを促進する又球体水晶部の球水晶の回転波動による細胞の活力促進と皮膚表面の熱を下げ皮膚を引き締めマッサージとエステ美容の効果がある。
【考案を実施するための最良の形態】
【実施例】
【０００６】  本考案の図面に従って説明する、（図１）は構造断面で１握り筒兼用キャップ１ａ通空孔２球体玉押えキャップ２ａキャップ側ネジ３中間球玉固定部３ａ球玉中心回転安定孔３ｂ中間側ネジで４球体磁石玉５球体水晶玉を投入した２玉押えキャップを接続して一体化される。【０００７】  血流、リンパ流の流れを促進するための利用であれば１握り筒兼用キャップを５球体水晶玉側にかぶせ握り手として利用して４球体磁石部のマッサージを行います。【０００８】  １握り筒兼用キャップを４球体磁石部側にかぶせ握り手として利用して水晶波動による細胞の活性、免疫力の増進と肌表面のほてりなどの熱を低下させるなどの美容効果を行います、セットで利用するとマッサージエステ美容効果が高まる。
【図面の簡単な説明】
【０００９】
【図１】構造断面図
【符号の説明】
【００１０】１      握り筒兼用キャップ
１ａ  通空孔
２      球体玉押えキャップ
２ａ  キャップ側ネジ
３      中間球玉固定部
３ａ  球玉中心回転安定孔
３ｂ  中間側ネジ
４      球体磁石玉
５      球体水晶玉
【図１】
0003145941.tif 000003
(57)【要約】      （修正有）【課題】スーパー、コンビニ等、日常の買い物に於いて供給されるポリ袋の再使用を可能にする事により、ゴミの減量化及び家庭におけるゴミ処理を便利にするポリ容器を提供する。【解決手段】ポリ容器に結び目突起部１を作り、ポリ袋の結び目を突き刺す。結び目通し穴２に内側より通してから突き刺すとより強く固定出来、また手下げ応用把手部３には手下げ部を引掛ける。従来重い物、生ゴミ、空缶等は収納しずらかったがこの容器を利用することにより容易に出来るようになる。【選択図】図１
0003145911.tif 000002
【実用新案登録請求の範囲】
【請求項１】
ポリ容器の上部に成形加工を追加して、用途を多用化。
【考案の詳細な説明】
【考案の詳細な説明】
【技術分野】
【０００１】  この考案は、スーパーマーケット等で手にする、買物ポリ袋の使い捨てを、有効利用する事を主目的とするもので有る。
【背景技術】
【０００２】  従来の家庭使用通称ポリ容器は、蓋及び把手用加工のみである。
【考案が解決しようとする課題】
【０００３】  従来のポリ容器は、入れた物をその尽出し入れするか、ポリ袋を、利用する場合、ポリ袋の大小により、使い勝手が悪い。
【課題を解決するための手段】
【０００４】  この考案は、ポリ容器にポリ袋を引っ掛けるヶ所を、成型加工段階で作り、ポリ袋の再利用を大小共、要易に出来るようにした。
【考案を実施するための最良の形態】
【０００５】  ポリ容器は大小形態様々有るが、容器上部の前後左右に図１の様に成型をして、ポリ袋の結び目を突起部に突き刺して固定する、手下げ部を手下げ応用把手部に引掛ける、結び目通し穴図１−２にポリ袋の結び目図２−１を内側より通してから突起部に突き刺すとより強く固定する。
【考案の効果】
【０００６】  ポリ容器の形態、ポリ袋の多少の大小にかかわらず、ポリ袋が多用途〔日常ゴミ、重みのある生ゴミの処理等々〕従来の廃棄物が再利用出来る。
【図面の簡単な説明】
【図１】  本考案のポリ容器斜視全体図である。
【図２】  利用するポリ袋である。
【図３】  ポリ容器正面図である。
【図４】  ポリ容器側面図である。
【符号の説明】
図１の１は結び目突起部  図１−２は結び目通し穴  図１−３は手下げ応用把手部
図２の１は結び目  図２−２は手下げ部  図２−３は挿入方向
図３は正面図
図４は側面図
【図１】
0003145911.tif 000003
【図２】
0003145911.tif 000004
【図３】
0003145911.tif 000005
【図４】
0003145911.tif 000006
【手続補正書】
【提出日】平成20年7月28日(2008.7.28)
【手続補正１】
【補正対象書類名】実用新案登録請求の範囲
【補正対象項目名】全文
【補正方法】変更
【補正の内容】
【実用新案登録請求の範囲】
【請求項１】
上部の前後左右に、通し穴、突起部を有するポリ容器。
(57)【要約】      （修正有）【課題】リードで繋がれて散歩中の犬の行動範囲を狭めるために、リードを素早くショートリードに変形できる犬用のリードを提供する。【解決手段】ナスカンとリングとを連結した場合リードを短くして使用することになり，犬の行動範囲が制限されて飼主に寄り添う様に歩くことになる。素早くショートリードに切り替えて，犬を車や自転車との接触などの危険から守ることができる。ショートリードになっても同じ握り部分をしっかりと握れるので安心である。散歩中，繰り返しショートリードに変形して使用することによって，正しい側歩を習慣付ける事もできる。【選択図】図２
0003145913.tif 000002
【実用新案登録請求の範囲】
【請求項１】
リードの握り部分（Ａ）のすぐ下にナスカン（Ｂ）を取り付ける。リードの先端付近に１個から複数個のリング（Ｃ−１），（Ｃ−２）や（Ｃ−３）などを取り付ける（図１）。ナスカン（Ｂ）をリング（Ｃ−１），（Ｃ−２）や（Ｃ−３）と連結させる（図２）。  連結後，握り部分（Ａ）を握ることによりショートリードとしても使用できるリード。
【考案の詳細な説明】
【技術分野】
【０００１】本考案は通常の長さから短いショートリードまで，その長さが簡単に変更できるリードに関する。
【背景技術】
【０００２】従来のリードで繋がれた犬は許された行動範囲内を自由に動き回り飼主を引っ張るなど，散歩する飼主の意に反した行動をとることがあった。これは犬が自身の意思で行動することであって飼主との主従関係を確立できない要因の１つになっている。  また，犬が勝手な行動をしないようにリードを短く握っても，手が滑るなどして犬を接触事故などの危険にさらす原因でもあった。
【考案の開示】
【考案が解決しようとする課題】
【０００３】リードで繋がれて散歩中の犬の行動範囲を狭めるために，  リードを素早くショートリードに変形できるようにする。
【課題を解決するための手段】
【０００４】リードの握り部分（Ａ）のすぐ下にナスカン（Ｂ）を取り付ける。リードの先端付近に１個から複数個のリング（Ｃ−１），（Ｃ−２）や（Ｃ−３）などを取り付ける（図１）。リードを短くするには，ナスカン（Ｂ）をリング（Ｃ−１），（Ｃ−２）や（Ｃ−３）と連結させる（図２）。連結後，握り部分（Ａ）を握りショートリードとして使用する。
【考案の効果】
【０００５】ナスカン（Ｂ）とリング（Ｃ−１），（Ｃ−２）や（Ｃ−３）とを連結した場合リードを短くして使用することになり，犬の行動範囲が制限されて飼主に寄り添う様に歩くことになる。素早くショートリードに切り替えて，犬を車や自転車との接触などの危険から守ることができる。  ショートリードになっても同じ握り部分をしっかりと握れるので安心である。散歩中，繰り返しショートリードに変形して使用することによって，正しい側歩を習慣付ける事もできる。
【図面の簡単な説明】
【０００６】
【図１】リードの斜視図
【図２】ナスカンとリングとの連結後のリードの斜視図
【符号の説明】
【０００７】１  リング（Ｃ−１）
２  リング（Ｃ−２）
３  リング（Ｃ−３）
４  ナスカン（Ｂ）
５  握り部分（Ａ）
【図１】
0003145913.tif 000003
【図２】
0003145913.tif 000004
【手続補正書】
【提出日】平成20年7月30日(2008.7.30)
【手続補正１】
【補正対象書類名】実用新案登録請求の範囲
【補正対象項目名】全文
【補正方法】変更
【補正の内容】
【実用新案登録請求の範囲】
【請求項１】
リードの握り手付近にナスカンを取り付け，このナスカンと連結する為のリング状の部品をリードの直線部分に幾つか取り付けたことを特徴とする犬用のリード。
(57)【要約】      （修正有）【課題】衣服などに直接取り付けることのできるピン式カニカンを提供する。【解決手段】カニカンの上部の接合部分を尖らせ針にして、また片方の部分は針が安全に納まるように溝、つまり凹形状にする。ピン式カニカンを短めのネックレスの両端に付け、上着の両襟元の内側に自在に取り付けることによって首にかけることなく首周りの装飾となる。【選択図】図３
0003145920.tif 000002
【実用新案登録請求の範囲】
【請求項１】
従来のカニカンの開閉部分の一方を尖らせ針またはピンのようにし、片方はそのピンを閉じた時に安全なように凹形状にする。
【請求項２】
ネックレスなどの端末に使用する既存のカニカンは受ける金輪あるいは輪が必要であるが、衣服など自体に直接取り付けることのできるピン式カニカン。
【考案の詳細な説明】
【技術分野】
【０００１】本考案はアクセサリーの端末に付ける金属製の留め金に関する。
【背景技術】
【０００２】従来のカニカンは輪状のアクセサリーの端末の留め金として広く使われている。
【考案の開示】
【考案が解決しようとする課題】
【０００３】しかしながら、従来のカニカンは受けになるもの（輪）が必要で、単独では使用することができない。
【考案が解決するための手段】
【０００４】ピン式にすることによって洋服に直接取り付けることができ、上記の課題を解決し使用範囲を広げることができる。
【考案の効果】
【０００５】ネックレスは首に付ける装飾品であるが、頚椎症とか肩こり症でネックレスを付けることを負担に感じ、首の装飾を敬遠せざるを得ないが、ピン式カニカンを短めのネックレスの両端に付け、上着の両襟元の内側に自在に取り付けることによって首にかけることなく首周りの装飾となる。
【考案を実施するための最良の形態】
【０００６】通常のネックレスより短いものの両端に取り付けて使用する。
【実施例】
【０００７】ジャケットなど上着の襟元左右内側に取り付け襟元、胸元を装飾する。【０００８】襟付きブラウスの襟の裏側左右に取り付け胸元の装飾とする。【０００９】どこにでも取り付けることができるのでブローチのように使用できる。
【図面の簡単な説明】図３に示す通り、部分Ａは針状で、部分Ｂは凹状の溝にして針を収めやすく安全性を図る。
【図１】
0003145920.tif 000003
【図２】
0003145920.tif 000004
【図３】
0003145920.tif 000005
【手続補正書】
【提出日】平成20年7月18日(2008.7.18)
【手続補正１】
【補正対象書類名】実用新案登録請求の範囲
【補正対象項目名】全文
【補正方法】変更
【補正の内容】
【実用新案登録請求の範囲】
【請求項１】
カニカンの開閉部分の一方を尖らせ針またはピンのようにし、片方はそのピンを閉じた時にピンが収まるよう凹形状にしたピン式カニカン。
【手続補正２】
【補正対象書類名】明細書
【補正対象項目名】全文
【補正方法】変更
【補正の内容】
【考案の詳細な説明】
【技術分野】
【０００１】本考案はアクセサリーの端末に付ける金属製の留め金に関する。
【背景技術】
【０００２】カニカンは輪状のアクセサリーの端末の留め金として広く使われている。
【考案の開示】
【０００３】しかしながら、カニカンは受けになるもの（輪）が必要で、単独では使用することができない。
【考案が解決するための手段】
【０００４】ピン式にすることによって、洋服に直接取り付けることができ、上記の課題を解決し使用範囲を広げることができる。
【考案の効果】
【０００５】ネックレスは首に付ける装飾品であるが、頚椎症とか肩こり症でネックレスを付けることを負担に感じ、首の装飾を敬遠せざるを得ないが、ピン式カニカンを短めのネックレスの両端につけ、上着の両襟元の内側に自在に取り付けることによって首に回すことなく首周りの装飾を可能にする。また、ピンがついているが、受けの部分が凹形状なので安全である。
【考案を実施するための最良の形態】
【０００６】図１〜３に本考案の具体例を示す。つまみ部Ｃを押し下げると図２に示すように部分Ｂが後退するので、ピン部分Ａを布に刺し、つまみ部Ｃを元に戻す部分Ｂと部分Ａが閉じてピン式カニカンが布に装着される。
【実施例】
【０００７】通常のネックレスより短いものの両端にピン式カニカンを取り付け、ジャケットなど上着の襟内側、両肩部分に装着し、襟元、胸元を装飾する。【０００８】短いひも状の装飾品の両端にピン式カニカンを取り付け、ボタンなしジャケットの中央前開き部分に装着し、ジャケットの装飾とする。【０００９】ピン式カニカンを取り付けた装飾品はピンが通るものならなににでも装着することができるので、ブローチのように使用できる。
【図面の簡単な説明】
【００１０】
【図１】本考案のピン式カニカンの一例を示す（立面）図であり、カニカンが閉じられた状態を示す。
【図２】つまみ部分Ｃを押し下げると部分Ｂが後退し、ピンが出てきた状態を示す。
【図３】図２のピン式カニカンの留め部分Ｂを拡大して示した斜視図である。
【符号の説明】
【００１１】Ａ−先が尖ったピン
Ｂ−つまみＡと連動して動き、ピンを収納する凹状の部分
Ｃ−つまみ
【手続補正３】
【補正対象書類名】図面
【補正対象項目名】全図
【補正方法】変更
【補正の内容】
【図１】
0003145920.tif 000006
【図２】
0003145920.tif 000007
【図３】
0003145920.tif 000008
(57)【要約】      （修正有）【課題】保存用として加工された固い餅を、手間暇をかけずに柔らかくすることができるお椀の構造を提供する。【解決手段】薄切り餅を入れて、湯を入れ即席の雑煮やおはぎを作るため、内部の中間に波形加工を施してお椀を構成する。【選択図】図１
0003145915.tif 000002
【実用新案登録請求の範囲】
【請求項１】
お椀の内部の中間に（１）波型加工薄切り餅を入れて湯を入れ即席の雑煮やおはぎを作る加工餅の構造方の型式
【考案の詳細な説明】
【考案に関する分野】
【０００１】この考案はお椀の中間に（１）の波形加工を施こした薄切り固形餅、を入れ熱湯に浸して作る即席雑煮おはぎの加工餅食品の構造法を持つた家庭用即席お餅に関するもの
【背景技術】
【０００２】従来の餅は保存用としての加工品は固く柔かくするのに手間暇がかかった
これ等の手間を省くためその面倒さを解決する方法として従来の技術と異なる点がある
【考案で解決する手段】
【０００３】保存用の固形餅を即席短時につきたて餅にするため又面倒な手間を省いて食する事をなし得る手段として考案した
【考案の効果】
【０００４】その場でつきたて餅ができしかも腹持ちがよく即席ラーメン等と違いあん野菜や薬味香辛料等の品数により栄養価が高く油等が少なくあっても植物のバランスが豆等であり健康に良く、日本食その物である又食品として、衛生上も良しとする処
【図面の簡単な説明】
【図１】即席お餅つきのふたなし平面図である
【図２】同上即席お餅つきのふた付き正面図である
【符号の説明】
１  波形加工を施した薄切り固形餅
【図１】
0003145915.tif 000003
【図２】
0003145915.tif 000004
【手続補正書】
【提出日】平成20年7月17日(2008.7.17)
【手続補正１】
【補正対象書類名】実用新案登録請求の範囲
【補正対象項目名】全文
【補正方法】変更
【補正の内容】
【実用新案登録請求の範囲】
【請求項１】
薄切り餅を入れて、湯を入れ即席の雑煮やおはぎを作るため、内部の中間に波型加工を施こしたお椀
(57)【要約】      （修正有）【課題】身体障害者や老人の介添え人のトイレでの動作の省力化のために、回転式立ち台を提供する。【解決手段】身体障害者や老人がトイレで用をたすときに、真ん中が回転する板の上に立たせ、動かずに支え棒につかまり、介添え人が回転式立ち台を回転させ、便器の前まで移動させる。回転式立ち台の底板２０の中心には回転板３０を支える突起１が出ており、その回りには回転板３０の回転部分２をスムーズに回転させるためのベアリング３箇所を受ける鉄板４が入っており、その鉄板４の回りには、回転板３０の回転部分２にストッパーをかける穴５があいている。回転板３０の回転部分２の表面には身体障害者や老人が立った時の支え棒７と、その支え棒を補強する鉄板８が埋め込まれている。また回転板３０の回転部分２には底板２０のストッパー穴９があり、杭棒で底板２０と回転板３０とが止まる仕組みになっている。【選択図】図１
0003145910.tif 000002
【実用新案登録請求の範囲】
【請求項１】
身体障害者や老人のトイレに入って便器に座るまでの行動が、立ったままで向きも変えずに障害者や老人自身が動かなくても、床板が回転して便器の前で止まり、そのまま座って用がたせることを特徴とした回転式立ち台。
【考案の詳細な説明】
【背景技術】
【０００１】  身体障害者や老人や介添え人にとって、トイレの狭い空間での動作は、立たせたり、向きを変えたり、下着を下ろしたり、座らせたりと非常に厄介なことで、その動作を一つでも省けたらとこの回転式立ち台を考案しました。
【考案が解決するための手段】
【０００２】  そこで身体障害者や老人がトイレに入った時、立ったままで回転式立ち台の支え棒につかまり、向きも変えずにえずにそのまま介添え人に便器の前まで回転させてもらい、介添え人に下着を下ろしてもらい座って用をたす。
【考案を実施するための最良の形態】
【０００３】  本考案にかかる回転式立ち台５０は、一枚の底板２０とその上にもう一枚の回転板３０が中心で繋がっている。底板２０の中心には回転板３０を支える突起１が出ており、その回りには回転板３０の回転部分２をスムーズに回転させるためのベアリング３箇所３を受ける鉄板４が入っており、その鉄板４の回りには、回転板３０の回転部分２にストッパーをかける穴５があいている。回転板３０の裏には回転部分２が抜けないための押さえ板６が打ち付けてある。回転板３０の表面には身体障害者や老人が立った時の支え棒７と、その支え棒を補強する鉄板８が埋め込まれている。また回転板３０の回転部分２には底板２０のストッパー穴９があり、杭棒９で底板２０と回転板３０とが止まる仕組みになっている。回転式立ち台５０は身体障害者や老人が立つところでもあるので、つまづかないように平らになっている。
【図面の簡単な説明】
【０００４】
【図１】  本考案にかかる回転式立ち台の分解図である。
【図２】  本考案にかかる回転式立ち台の回転板裏面である。
【図３】  本考案にかかる回転式立ち台の側面図である。
【符号の説明】
【０００５】  回転式立ち台              ５０
底板                      ２０
回転板                    ３０
底板突起                    １
回転板の回転部分            ２
３箇所のベアリング          ３
ベアリングを受ける鉄板      ４
ストッパー穴                ５
押さえ板                    ６
支え棒                      ７
支え棒補強鉄板              ８
杭棒                        ９
【図１】
0003145910.tif 000003
【図２】
0003145910.tif 000004
【図３】
0003145910.tif 000005
【手続補正書】
【提出日】平成20年7月25日(2008.7.25)
【手続補正１】
【補正対象書類名】実用新案登録請求の範囲
【補正対象項目名】全文
【補正方法】変更
【補正の内容】
【実用新案登録請求の範囲】
【請求項１】
二枚の板が中心部分で繋がり、上部板の真ん中には人が乗って回転できる回転盤と支え棒がついていて、その回転盤裏には回転をスムーズにするベアリングがはめ込んである回転式立ち台。
【手続補正２】
【補正対象書類名】明細書
【補正対象項目名】０００１
【補正方法】変更
【補正の内容】
【０００１】  介添え人が必要な身体障害者や老人が、トイレに入って便器に座るまでの行動は向きを変えたり・便器の前で止まらせたり・下着を下ろしたり・座らせたりと、狭い空間での動作は介添え人にとって非常に厄介なことで、時間もかかります。その動作を一つでも省略できたらと回転式立ち台を考案しました。
(57)【要約】      （修正有）【課題】ネジにより骨に固定したとき、骨に対する保形作用のすぐれた骨折治療用フックプレートを提供する。【解決手段】ほぼ長方形のプレート本体１の先端部分を、ほぼ骨に対応して左右に湾曲した広幅部２に形成し、広幅部２の先端辺から端板８をほぼ直角に延出し、端板８の先端辺から２本のフック３を互に左右間隔をあけて突出すると共に、端板８に１又は複数のネジ通し孔を設け、広幅部２に左右間隔をあけて複数のネジ通し孔を、上記プレート本体に長手方向に沿って複数のネジ通し孔をそれぞれ設けた。【選択図】図２
0003145988.tif 000002
【実用新案登録請求の範囲】
【請求項１】
ほぼ長方形のプレート本体の先端部分を、ほぼ骨に対応して左右に湾曲した広幅部に形成し、
上記広幅部の先端辺から端板をほぼ直角に延出し、該端板の先端辺から２本のフックを互に左右間隔をあけて突出すると共に、上記端板に１又は複数のネジ通し孔を設け、
上記広幅部に左右間隔をあけて複数のネジ通し孔を、上記プレート本体に長手方向に沿って複数のネジ通し孔をそれぞれ設けた、
骨折治療用フックプレート。
【考案の詳細な説明】
【技術分野】
【０００１】
本考案は、上腕骨、尺骨、撓骨等における肘関節に近い部分に骨折等の障害を受けた場合の治療に使用される金属製フックプレートに関する。
【背景技術】
【０００２】
従来、この種のフックプレートとして、長方形のプレート本体の先端に１本の細く鋭いフックを直角に突設すると共に、上記プレート本体に３個のネジ通し孔を長手方向に沿って設け、使用においては、骨折した骨の肘関節がわ端部に上記フックを係止した状態で上記プレート本体のネジ通し孔からネジを骨に螺入してフックプレート全体を固定するものが知られている。
【０００３】
しかし、上記の従来プレートは、細長いプレートの３個のネジ通し孔および１本の細いフックが一直線上に配列しているため、固定後フックプレートの骨に対する保形作用、特に骨折部のよじれ、横ずれを充分に抑制する作用に劣る欠点があった。
【考案の開示】
【考案が解決しようとする課題】
【０００４】
本考案は、従来の欠点を改善することを課題とする。
【課題を解決するための手段】
【０００５】
そこで、本考案は、
ほぼ長方形のプレート本体の先端部分を、ほぼ骨に対応して左右に湾曲した広幅部に形成し、
上記広幅部の先端辺から端板をほぼ直角に延出し、該端板の先端辺から２本のフックを互に左右間隔をあけて突出すると共に、上記端板に１又は複数のネジ通し孔を設け、
上記広幅部に左右間隔をあけて複数のネジ通し孔を、上記プレート本体に長手方向に沿って複数のネジ通し孔をそれぞれ設けた、
骨折治療用フックプレートを提案する。
【考案の効果】
【０００６】
本考案の骨折治療用フックプレートによれば、２本のフックの係止により２点支持でプレート全体を位置決めできるから、次のネジ螺着作業が容易に行えるようになり、また螺着においては、広幅部がその湾曲面と左右ネジの螺着により骨に強固に固定され、その広幅部とプレート本体とがＴ字形をなして骨に固定されることにより、骨を所定の形に確実に保持し、骨折部のよじれ、横ずれを抑止することができる。
さらに、端板のネジ通し孔からネジを螺入することにより、肘関節部の骨折治療にも有効である。
【実施例】
【０００７】
以下図面を参照して本考案の実施例について説明する。
図１において、ほぼ長方形板状のプレート本体（１）の先端部分を、ほぼ骨に対応して左右に湾曲したほぼ菱形の広幅部（２）に形成し、該広幅部（２）の先端辺から、斜め下方へ、ついで下方へ屈曲する端板（８）を延出し、該端板（８）の先端辺の左右端部から、爪先を斜め後方へ突出した２本のフック（３）、（３）を互に左右間隔をあけて突出すると共に、上記端板（８）に、本例では２個のネジ通し孔（９）、（９）を設けてある。
【０００８】
上記広幅部（２）には２個のネジ通し孔（４）、（４）を左右間隔をあけて設けると共に、上記プレート本体（１）の中間部に４個のネジ通し孔（５）…を長手方向に沿って設けてある。
【０００９】
上例フックプレートを、尺骨（Ａ）における肘関節に近い２ヶ所に骨折（ａ）、（ｂ）した場合の治療に使用した例について説明する。図２に示すように、尺骨（Ａ）の肘関節がわ端部に端板（８）を当接した状態で、該端部にフック（３）、（３）を係止し、広幅部（２）およびプレート本体（１）を尺骨（Ａ）に添接した状態で、ネジ通し孔（４）、（４）からネジ（６）、（６）を、ついでネジ通し孔（５）…からネジ（７）…をそれぞれ尺骨（ａ）に螺入し、さらに端板（８）のネジ通し孔（９）、（９）から長いネジ（１０）、（１０）を骨折部（ｂ）を横切って螺入し、それによりフックプレート全体で骨折部（ａ）、（ｂ）を固定した状態に保持する。
【００１０】
上例の使用において、まず２本のフック（３）、（３）を尺骨（ａ）の肘関節がわ端部に係止すると、プレート本体（１）および広幅部（２）が２点支持によって所定位置に位置決めされるから、次のネジ螺着作業が容易となる。またネジの螺着においては、広幅部（２）がその湾曲面で骨に接した状態で左右ネジ（６）、（６）により螺着されるから、ずれることなく強固に固定され、しかも、その広幅部（２）とプレート本体（１）とがほぼＴ字形をなして尺骨（ａ）に添接螺着されるから、尺骨（ａ）を所定の形に確実に保持し、骨折部のよじれ、横ずれを抑止する。
【図面の簡単な説明】
【００１１】
【図１】（イ）本考案によるフックプレートの平面図である。                            （ロ）同上側面図である。                                                    （ハ）同上正面図である。
【図２】使用状態の側面図である。
【符号の説明】
【００１２】
１  プレート本体
２  広幅部
３  フック
４、５  ネジ通し孔
８  端板
９  ネジ通し孔
【図１】
0003145988.tif 000003
【図２】
0003145988.tif 000004
(57)【要約】      （修正有）【課題】床面等の塵埃を簡単な装置で短時間に検出することができる塵埃検出装置を提供する。【解決手段】透明の帯状シート１の片面に粘着剤２を塗布した検出用ストリップを床面等にこすりつけ、染色して水洗いし、レンズ等で拡大して観察することのできる装置である。このように、簡単な装置で、安価に、かつほとんど時間をかけずに塵埃の有無、種類等を特定することができる。【選択図】図１
0003145990.tif 000002
【実用新案登録請求の範囲】
【請求項１】
透明あるいは半透明の帯状シート（１）の片面に粘着剤（２）を塗布し、塵埃等を付着させるようにした塵埃検出用のストリップ。
【請求項２】
請求項１に記載のストリップを載置する載置面の少なくとも一部にレンズ部（５）を備えたことを特徴とする塵埃検出装置。
【考案の詳細な説明】
【技術分野】
【０００１】
本考案は、例えば室内の床面や壁、窓ガラス表面等に存在するかび、寄生虫等の有害な塵埃を簡単、かつ短時間に検出する塵埃検出装置に関する。
【背景技術】
【０００２】
従来、室内の床面や壁、窓ガラス表面等に存在するかび、寄生虫等の有害な塵埃を検出する手段としては、何らかの採取器具により採取した検体を培地に植えて数日間培養し、出現したコロニー（集落）や増殖した細菌による濁度を測定するなどしてかびや最近の種類などを同定することが行われている。
あるいは最近では、検体から抽出したＤＮＡ、ＲＮＡ等の遺伝子を鋳型にして適当なポリマーを添加し、ＰＣＲ法（ポリメラーゼ連鎖反応法）等で増幅した後、適当な検出プローブ等で同定する方法も開発されている。
【考案の開示】
【考案が解決しようとする課題】
【０００３】
法令等により規制の対象となっている産業分野では上記のような従来の方法も有効な場合がまだまだ残っているが、これらはいずれも判定までに時間がかかるという問題点がある。また検査装置も高価である。例えば最近普及しつつあるＡＴＰ（アデノシン三りん酸）測定装置は、機器の導入に数十万円かかり、さらに試薬を使用するため１回毎の検査料も高価である。
【０００４】
近年においてはハウスクリーニングや抗菌・抗かび商品の普及、外食産業の拡大等の趨勢から、もっと手軽に、安価で時間をかけずに判定できる検出装置の出現が望まれていた。
上記課題を実現するため、本考案は、有害な塵埃を簡単、かつ短時間に検出する塵埃検出装置を実現することを目的とする。
【課題を解決するための手段】
【０００５】
請求項１に記載の本考案は、透明あるいは半透明の帯状シートの片面に粘着剤を塗布し、塵埃等を付着させるようにした塵埃検出用のストリップである。
請求項２に記載の本考案は、請求項１に記載のストリップを載置する載置面の少なくとも一部にレンズ部を備えたことを特徴とする塵埃検出装置である。
【考案の効果】
【０００６】
本考案によれば、簡単な装置で、安価に、かつほとんど時間をかけずに塵埃の有無、種類等を特定できる塵埃検出装置が実現するという、すぐれた効果を奏する。
【考案を実施するための最良の形態】
【０００７】
本考案の実施例を、図面により説明する。
図１は本考案で使用する塵埃検出用ストリップの斜視図で、１は透明あるいは半透明の帯状シート、２はその片面に塗布された粘着剤、３は使用時まで粘着剤を保護する剥離紙である。
使用に際してはまず剥離紙３を剥がし、粘着剤２の部分を検出対象の床面等に押しつける。数回ぺたぺたとこすりつけて塵埃を付着させるのがよい。
【０００８】
つぎにこの粘着剤２の部分に染色剤を滴下させて10秒ほどなじませ、染色する。目的にもよるが、ひろく他種類の塵埃を検出しようとするときには、例えば黒色、赤色の２種類の染料で染めるとよい。続いて水道水等で水洗して染色剤を洗い流す。
図２は実施例の観察箱４を示す斜視図である。全体は例えば透明な樹脂で作られており、載置面である上面の一部に、レンズ部５が形成されている。水洗した検出用ストリップの粘着剤２の塗布してある部分をしたに向けてレンズ部５に載せ、下面から見るようにすれば、数倍程度に拡大した画像を観察することができる。またマイクロスコープ等を使用すれば130倍程度まで拡大できると同時に、観察画面をパソコンに取り込むことができ、記録、転送等に便利である。
【０００９】
２色に染めたことにより、かびや細菌等は黒色に染まり、ちり、ほこり、毛髪等は赤色に染まるので、付着している塵埃の量による汚染度合い、塵埃の種類などを判断することができる。
【図面の簡単な説明】
【００１０】
【図１】本考案実施例の塵埃検出用ストリップの斜視図である。
【図２】本考案実施例の観察箱の斜視図である。
【符号の説明】
【００１１】
１    帯状シート
２    粘着剤
３    剥離紙
４    観察箱
５    レンズ部
【図１】
0003145990.tif 000003
【図２】
0003145990.tif 000004
(57)【要約】      （修正有）【課題】眼鏡の特徴的なデザインをアピールする展示方法を確立することであり、取り扱いが容易でありながら、眼鏡を安定して且つ自由な角度で展示できる眼鏡展示スタンドを提供する。【解決手段】塑性変形可能な棒状の金属で構成されている支柱の先端に円錐形の弾性体を設置し、この円錐形の弾性体を眼鏡のブリッジと鼻パッドの間に差し込むことで簡単に係止できるようにした。また、塑性変形可能な棒状の金属製の支柱を曲げることで眼鏡をいろんな方向から見せることが出来る。【選択図】図３
0003145984.tif 000002
【実用新案登録請求の範囲】
【請求項１】
眼鏡を展示するためのスタンドであり、眼鏡のブリッジと鼻パッド間に挿入する為の略円錐状の弾性体と、該弾性体の下方に延設した棒状の支柱と、該棒状の支柱を下方で支持する基台からなり、前記棒状の支柱が容易に塑性変形可能な金属で構成されていることを特徴とする眼鏡展示スタンド。
【考案の詳細な説明】
【技術分野】
【０００１】
本考案は、店頭で眼鏡を展示する際のスタンドに関する。
【背景技術】
【０００２】
従来、眼鏡販売店で眼鏡を陳列する際には、眼鏡枠の蔓部を折りたたんで平面的に陳列する場合が多く、まれに蔓を開いて陳列する際にも正面を向けて陳列することがほとんどであり、各眼鏡の特徴的なデザインをアピールする展示方法が確立されていなかった。
【０００３】
特許文献１では、上記問題点を解決するために、支柱の先端部に線材を曲げた部分を設け、この部分に蔓部を嵌め入れて係止し、展示する方法が開示されている。
しかし特許文献１の方法では、一旦眼鏡を展示台から取り外すと元の姿勢に戻すことが容易ではなく、眼鏡枠の重心から遠い部分を係止するのでバランスを崩して落下することもあり、本来の目的である手軽に見せたい角度で眼鏡を展示するには不都合があった。
【特許文献１】特開２０００−２５３９７３号公報
【考案の開示】
【考案が解決しようとする課題】
【０００４】
本考案は、従来の眼鏡展示方法の問題点を解決し、取り扱いが容易でありながら、眼鏡を安定して且つ自由な角度で展示できる方法を提供することにある。
【課題を解決するための手段】
【０００５】
そこで本考案は、塑性変形可能な棒状の金属で構成されている支柱の先端に円錐形の弾性体を設置し、この円錐形の弾性体を眼鏡のブリッジと鼻パッドの間に差し込むことで簡単に係止できるようにした。また、塑性変形可能な棒状の金属製の支柱を曲げることで眼鏡をいろんな方向から見せることが出来る。
【考案の効果】
【０００６】
本考案は、円錐形の弾性体を使用することで、眼鏡のブリッジと鼻パッド間の寸法差を吸収することができるので、ほとんどのメタル製の眼鏡が係止でき、その際に眼鏡を損傷することがない。
また、一旦展示スタンドから眼鏡を取り外しても、容易に元の姿勢に戻すことができるので、客が気軽に手にとって商品を確かめることができる。
一般に、鼻パッド部分は眼鏡の重心に比較的近い場所なので、この部分を支えることで安定して支えることができ、眼鏡を落下させる危険性がほとんどない。
【０００７】
本考案は、円錐形の弾性体を支持した支柱に塑性変形可能な棒状の金属を使用し、支柱を変形することにより係止した眼鏡を自由に角度調節ができ、機能性やデザインのアピールなどを見せたい角度で展示できる。
【考案を実施するための最良の形態】
【０００８】
図1は本考案の好ましい形態を示すものであり、基台3に塑性変形可能な棒状の支柱2、円錐形の弾性体1からなっている。
【０００９】
この眼鏡展示スタンドに眼鏡4を係止するには、図2に示すように眼鏡ブリッジ4Aと鼻パッド4Bの隙間に円錐形の弾性体1を差し込むことで係止できる。
【００１０】
図1の1が円錐形の理由は眼鏡のサイズに対応するためである。また、弾性体である理由は損傷しにくい事と図2のブリッジ4Aと鼻パッド4Bがこの弾性体に食い込むことで、展示中の脱落を防止するためである。
弾性体の材質は、透明な軟質塩化ビニルが好ましいが、これに限定するものではない。
【００１１】
さらに図3は塑性変形可能な棒状の支柱2を曲げることで眼鏡4を自由な方向で係止できる。
支柱の材質は、アルミニウムや銅を主成分とした金属が好ましいがこれに限るものではない。なお、支柱の表面にめっきや塗装を施したり樹脂で被覆することでカラフルにすることもできる。  
【図面の簡単な説明】
【００１２】
【図１】本考案の実施の形態を示す斜視図である。
【図２】本考案の実施の形態における眼鏡係止を示す平面図である。
【図３】本考案による眼鏡展示スタンドの使用例を示す斜視図である。
【符号の説明】
【００１３】
１  円錐形の弾性体
２  塑性変形可能な棒状の支柱
３  基台
４  眼鏡
４A  眼鏡のブリッジ
４B  眼鏡の鼻パッド
【図１】
0003145984.tif 000003
【図２】
0003145984.tif 000004
【図３】
0003145984.tif 000005
(57)【要約】【課題】この考案は、根菜を用いた乾燥野菜チップであって、そのまま調理が簡単であり、見た目に美しい調理用乾燥野菜チップを開発・提供することにある。【解決手段】野菜のうち、特に、根菜類（１）を適宜な厚みにカットしてカット片（２）を多数設け、これらカット片（２）を、星、月、花びら等の抜き型（Ｘ）で抜き、これら抜かれたカット片（２ａ）を、自然乾燥したチップ（３）としたことを特徴とする調理用乾燥野菜チップから構成されるものである。【選択図】      図２
0003145985.tif 000002
【実用新案登録請求の範囲】
【請求項１】
野菜のうち、特に、根菜類（１）を適宜な厚みにカットしてカット片（２）を多数設け、これらカット片（２）を、星、月、花びら等の抜き型（Ｘ）で抜き、これら抜かれたカット片（２ａ）を、自然乾燥したチップ（３）としたことを特徴とする調理用乾燥野菜チップ。
【考案の詳細な説明】
【技術分野】
【０００１】
この考案は、調理用乾燥野菜チップに関する。
【背景技術】
【０００２】
従来、大根を千切り状にカットして乾燥した，切り干し大根や、細い幅のベルト状に形成された，かんぴょう等の乾燥野菜は存在している。
【０００３】
しかし、古くより日本料理は、目で見て楽しみ、味でも楽しむ料理ではあるが、上記の千切り大根や干瓢は、料理の素材として味の方では申し分ない乾燥野菜ではあるが、そのままでは、見た目には決して美しいものであるとは言えなかった。
【考案の開示】
【考案が解決しようとする課題】
【０００４】
そこで、この考案は、根菜を用いた乾燥野菜であって、そのまま調理が簡単であり、見た目に美しい調理用乾燥野菜チップを開発・提供することにある。
【課題を解決するための手段】
【０００５】
この考案による課題を解決するための手段としては、根菜類と呼ばれる野菜を適宜の厚みにカットし、このカットされた野菜に、星、月、花や植物の形状の抜き型で抜き、それらを乾燥した調理用乾燥野菜チップである。
【考案の効果】
【０００６】
この考案によると、根菜、予め、野菜を、あらゆる種類の図形から選ばれた，抜き型でカットしておき、これを乾燥させることにより、日持ちがし、水にふやかして、調味料を加えて種々調理しても、包丁で細工をしたりする必要がなく、そのままで、見た目にも美麗であり、楽しい料理を提供することができる等の効果を奏する。
【考案を実施するための最良の形態】
【０００７】
この考案によると、野菜，特に、根菜類を予め、乾燥野菜となる前に、森羅万象の物の形状に型で抜いて処理を施すことにより、調理の際に、形状等にこだわることなく、簡単にできる調理用乾燥野菜チップである。
【実施例】
【０００８】
この考案の一実施例を図面に基づいて詳細に説明すると、野菜のうち、特に、根菜類（１）を適宜な厚みにカットしてカット片（２）を多数設け、これらカット片（２）を、星、月、花びら等の抜き型（Ｘ）で抜き、これら抜かれたカット片（２ａ）を、自然乾燥したチップ（３）としたことを特徴とする調理用乾燥野菜チップから構成されるものである。
【０００９】
そして、抜き型（Ｘ）は、前述の星、月、花びらのほか、銀杏の葉、紅葉の葉、松、魚、動物等あらゆる森羅万象の図形が考えられる。
【００１０】
尚、そもそも、乾燥野菜は、根菜を使用するものであるが、根を利用する根菜、即ち，ごぼう、人参、大根、蕪、塊根であるさつま芋等であり、また、地下茎を利用する根菜，即ち，蓮根、ジャガイモ、キクイモ等である。
【００１１】
尚、これらの使用にあたっては、これらの調理用乾燥野菜チップを調味液を用いて煮物とかの調理をすることにより、元の野菜の状態に戻すものである。
【産業上の利用可能性】
【００１２】
この考案の調理用乾燥野菜チップの技術を確立し、実施・販売することにより、産業上利用できるものである。
【図面の簡単な説明】
【００１３】
【図１】この考案の一実施例を示す斜視図である。
【図２】この考案の製造過程を示す説明図である。
【符号の説明】
【００１４】
１  根菜類
２  カット片
２ａ  抜かれたカット片
３  乾燥野菜
Ｘ  抜き型
【図１】
0003145985.tif 000003
【図２】
0003145985.tif 000004
(57)【要約】      （修正有）【課題】ゴルフにおいてティーショットを打った後、ティーを紛失することのないゴルフ用ティーの補助具を提供する。【解決手段】ゴルフティーを挿入することが可能な穴と、紐を通すことが可能な穴の２穴を有することを特徴とするゴルフ用ティーの補助具で、既存のゴルフ用ティーに本考案のゴルフ用ティーの補助具を装着することによって摩擦抵抗と空気抵抗を発生させ、ティーショットを打つことによって飛んでいくゴルフ用ティーを極力飛ばないようにすることを可能にした。【選択図】図１
0003145923.tif 000002
【実用新案登録請求の範囲】
【請求項１】
ゴルフ場でティーショットを打った時にゴルフティーを紛失しないようにする機能を具備したゴルフティー補助具。
【請求項２】
前記ゴルフティー補助具の形状及び材質の使用が制限されないことを特徴とする請求項１のゴルフティー補助具。
【考案の詳細な説明】
【技術分野】
【０００１】
本考案は、簡易的なゴルフ用ティーの補助具に関するものある。
【背景技術】
【０００２】
周知の通り、ゴルフ場では通常、各ホールの1打目はティーに載せたボールを打つ。例えば、ゴルフクラブでボールを打つわけであるが、ボールを打つと同時にティーも飛んでいくことが多々ある。またティーがどこに飛んでいったのか分からず紛失してしまう事が多々ある。
【考案の開示】
【考案が解決しようとする課題】
【０００３】
ゴルフ用ティーは通常は木製もしくは樹脂製で、非常に軽量のものである。しかしながら、軽量ゆえに次のような問題があった。
【０００４】
（１）ティーショットを打つ度にティーが飛んでいき紛失してしまうことがよくあった。（２）樹脂製のティーは紛失し、そのまま放置しておいても土に返るわけではなく環境に悪影響を与える。（３）ゴルフ用ティーの種類によっては高価なものがあり、ティーショットを打つ度に紛失していては不経済である。（４）ティーショットを打つ度に飛んでいったティーを探しているとプレイ時間に大きな遅れを生じる。
【課題を解決するための手段】
【０００５】
本考案は上記の実情に鑑みてなされたものであり、その目的はゴルフ場の各ホールでティーショットを打つ度に飛んでいくゴルフ用ティーを探す、もしくは紛失する事を防ぐ事である。請求項１に記載のゴルフ用ティー補助具は、ティーショットを打つことによって飛んでいくゴルフ用ティーを極力飛ばないようにすることの出来る機能を具備したゴルフ用ティー補助具であって、ゴルフで用いる既存のゴルフ用ティーへの装着を可能にしたことを特徴とする。
【考案の効果】
【０００６】
請求項１に記載のゴルフ用ティー補助具は、既存のゴルフ用ティーに装着することが可能であり、前記の木製ティーや樹脂製ティー、高価なティーの紛失の心配もない。また軽量であるためプレイ中の持ち運びの邪魔になることはない。またティーショットを打つことによって飛んでいったティーを探す必要がなくプレイ時間を無駄に消費する必要がない。
【考案を実施するための最良の形態】
【０００７】
多種多様なゴルフ用ティーに装着できるようにするため、ゴルフ用ティー補助具の装着部分は、伸縮性のある材料が良好である。また容易に装着しやすい形状が良好である。
【実施例】
【０００８】
以下、添付図面に従って説明する。図１は本発明の実施の形態に係るゴルフ用ティー補助具を装備したゴルフ用ティーの斜視図である。図２はゴルフ用ティー補助具の斜視図である。図３はゴルフ用ティー補助具の上面図である。Ａはゴルフ用ティーである。Ｂはゴルフ用ティー補助具である。ゴルフ用ティー補助具ＢのＤ部はドーナツ形状で中心に穴Ｇが開いている。穴Ｇにゴルフ用ティーＡを通すことによってゴルフ用ティーＡをゴルフ用ティー補助具Ｂに装着する。またゴルフ用ティー補助具ＢのＤ部は伸縮性のある材料で作られているため、ゴルフ用ティーＡは固定され安易には脱落しない。ゴルフ用ティー補助具ＢのＥ部はドーナツ形状で中心に穴Ｈが開いている。Ｅ部はＤ部と対称の位置にある。穴Ｈに紐Ｆを通す。ティーショットの際にゴルフ用ティーＡを地面に挿し、紐Ｆは打撃方向とは逆の方向に地面を這わせるように置く。ティーショットを打つと、ゴルフ用ティーＡも地面から抜けて跳ね上がるが、紐Ｆによる地面との摩擦と空気抵抗により、遠くへは飛んでいかない。またティーショットを打った後は紐Ｆをゴルフ用ティーＡに巻きつけて収納することができる。
【図面の簡単な説明】
【０００９】
【図１】ゴルフ用ティーに本考案のゴルフ用ティー補助具を装着し、ゴルフボールを乗せたものを示す斜視図である。
【図２】ゴルフ用ティー補助具の斜視図である。
【図３】ゴルフ用ティー補助具の上面図である。
【図４】ゴルフ用ティー補助具の側面図である。
【符号の説明】
【００１０】
Ａ    ゴルフ用ティー
Ｂ    ゴルフ用ティー補助具
Ｃ    ゴルフボール
Ｄ    ゴルフ用ティー装着部
Ｅ    紐装着部
Ｆ    紐
Ｇ    ゴルフ用ティー装着用穴
Ｈ    紐装着用穴
【図１】
0003145923.tif 000003
【図２】
0003145923.tif 000004
【図３】
0003145923.tif 000005
【図４】
0003145923.tif 000006
【手続補正書】
【提出日】平成20年8月22日(2008.8.22)
【手続補正１】
【補正対象書類名】実用新案登録請求の範囲
【補正対象項目名】全文
【補正方法】変更
【補正の内容】
【実用新案登録請求の範囲】
【請求項１】
ゴルフティーを挿入することが可能な穴と、紐を通すことが可能な穴の２穴を有することを特徴とするゴルフ用ティーの補助具。
【請求項２】
前記のゴルフティーを挿入することが可能な穴と、紐を通すことが可能な穴は線対称の位置に配置されていることを特徴とする請求項１に記載のゴルフ用ティーの補助具。
(57)【要約】      （修正有）【課題】ゴルフ用のマーカーを紛失することなく、また自在に着脱することのできるゴルフボール用マーカーのホルダーを提供する。【解決手段】プラスチック製ゴルフマーカーをプラスチックの弾性によって保持するホルダー体と、該ホルダー体との間に狭持体を挟み込むために該ホルダー体にプラスチックの弾性によって狭持体を挟み込むクリップ体を有することを特徴とするゴルフボール用マーカーのホルダーである。【選択図】図２
0003145922.tif 000002
【実用新案登録請求の範囲】
【請求項１】
ゴルフ場で配布されているプラスチック製のマーカーを自在に着脱できる機能を具備したマーカーホルダー。
【請求項２】
前記マーカーホルダーを帽子の鍔の部分に装着することを特徴とする請求項１のマーカーホルダー。
【請求項３】
前記マーカーホルダーの形状及び材質の使用が制限されないことを特徴とする請求項１のマーカーホルダー。
【考案の詳細な説明】
【技術分野】
【０００１】
本考案は、簡易的なゴルフボール用マーカーのホルダーに関するものである。
【背景技術】
【０００２】
周知の通り、ゴルフ場で、芝生の上に停止したボールの位置を示すための目印として、当該ゴルフボールの代わりに置くためのボールマーカーと呼ばれるものがある。例えば、芝生の上からボールをピックアップする際にこのマーカーが用いられるわけであるが、プレー中は不使用の状態である。
【考案の開示】
【考案が解決しようとする課題】
【０００３】
磁性体を利用したマーカーホルダーのマーカーは通常は金属製で、不使用の際は図３に示すように、磁性体であるボールマーカー（図１のＣ）用のクリップ式の台座（図１のＢ）を帽子（図１のＡ）に取り付け、該台座の磁力によってボールマーカーを着脱自在に取り付けるようにしていた。しかしながら、上記のようなクリップ式の台座及び金属性マーカーを用いた場合、次のような問題があった。
【０００４】
（１）プレー中に、帽子の鍔（ツバ）から使用者が気付かないうちに金属マーカーの紛失、又は台座ごと落として紛失してしまうことがよくあった。（２）金属のマーカーは、従来のプラスチック製のマーカー（以下Pマーカーという）に比べて厚みがあるので、使用時には自分のマーカーが相手ライン上の近くの位置にある場合は、厚みのある金属マーカーをPマーカーに変える状況があった。（３）金属マーカーは、落雷する恐れがあり非常に危険である。
【課題を解決するための手段】
【０００５】
本考案は上記の実情に鑑みてなされたものであり、その目的は台座がプラスチック製のため軽くて安価であり、ゴルフ場に備え付けの従来のPマーカーを使用することが可能な事である。プレー中にPマーカーを紛失した場合、ゴルフ場に備え付けのPマーカーを直ぐに使用可能である。請求項１に記載のホルダーは、ボールマーカーを自在に着脱することのできる機能を具備したゴルフマーカーホルダーであって、ゴルフで用いる既存のPマーカーの使用を可能にしたことを特徴とする。
【考案の効果】
【０００６】
請求項１に記載のゴルフ用マーカーホルダーは、既存のゴルフ場に備え付けのPマーカーが使用でき、前記の磁性体を利用したマーカーホルダーの高価な金属マーカーの紛失の心配もない。また厚みのある金属マーカーに比べて既存のPマーカーが使用できるので他のプレーヤーのボールの邪魔になることはない。また磁性体付マーカーホルダー製品に比べて非常に安価である。
【考案を実施するための最良の形態】
【０００７】
帽子の鍔に設置する為に自身からは見えない状態になり、手さぐりでホルダーに入れなければならないので、ホルダー部分は容易にゴルフマーカーが入りやすい形状が良好である。
【実施例】
【０００８】
以下、添付図面に従って説明する。図２は本発明の実施の形態に係るＰマーカーホルダーを装備した帽子の斜視図である。Ｈはプラスチック製の板状の台座片である。台座片Ｈの裏面には、帽子Ｄの鍔Ｅを挟むプラスチック製のフックＧが設けられている。このフックＧは、台座片Ｈの一方の長辺中央部から延びだした舌片を屈折させて形成したものであり、このフックＧを帽子Ｄの鍔Ｅに挟んで台座片Ｈを取り付けることができる。Ｆ１とＦ２はプラスチック製の押さえ片である。Ｆ１、Ｆ２両片を２枚一組にして使用する。Ｆ１、Ｆ２両片は台座片Ｈの両辺の長辺部から半円を描いて中央に伸びている。その先端部は台座片Ｈに接触せず、空間を保っている。即ちＰマーカーＩを突起のある方を上向きにして、台座片Ｈの表面と押さえ片Ｆ１、Ｆ２の間を台座片Ｈの中央部までスライドさせる。押さえ片Ｆ１とＦ２はプラスチック製のため、プラスチックの弾性によりＰマーカーＩは台座片Ｈに押さえつけられ保持される。ＰマーカーＩを取り出す時は、手前にスライドさせて取り出す。
【図面の簡単な説明】
【０００９】
【図１】従来の磁性体を利用したマーカーホルダー実施例であるゴルフ用帽子を示す斜視図である。
【図２】本考案の既存Pマーカーの着脱可能ホルダ一実施例であるゴルフ用帽子を示す斜視図である。
【図３】本考案のＰマーカーホルダーの斜視図である。
【図４】本考案のＰマーカーホルダーの上面図である。
【図５】本考案のＰマーカーホルダーの下面図である。
【図６】本考案のＰマーカーホルダーの側面図である。
【符号の説明】
【００１０】
Ａ    帽子１
Ｂ    従来の磁性体を利用したマーカーホルダー
Ｃ    従来の磁性体を利用したマーカー
Ｄ    帽子２
Ｅ    帽子の鍔
Ｆ１  押さえ片１
Ｆ２  押さえ片２
Ｇ    フック
Ｈ    台座片
Ｉ    Ｐマーカー
【図１】
0003145922.tif 000003
【図２】
0003145922.tif 000004
【図３】
0003145922.tif 000005
【図４】
0003145922.tif 000006
【図５】
0003145922.tif 000007
【図６】
0003145922.tif 000008
【手続補正書】
【提出日】平成20年8月22日(2008.8.22)
【手続補正１】
【補正対象書類名】実用新案登録請求の範囲
【補正対象項目名】全文
【補正方法】変更
【補正の内容】
【実用新案登録請求の範囲】
【請求項１】
プラスチック製ゴルフマーカーをプラスチックの弾性によって保持するホルダー体と、該ホルダー体との間に狭持体を挟み込むために該ホルダー体にプラスチックの弾性によって狭持体を挟み込むクリップ体を有することを特徴とするゴルフボール用マーカーのホルダー。
【請求項２】
前記ホルダー体は、該ホルダー体の両端二辺からＵ字状に該ホルダー体の表面中央部に折り返した押さえ片を有することを特徴とした請求項１に記載のゴルフボール用マーカーのホルダー。